(57)【特許請求の範囲】
【請求項１】
文字盤（１０）と、
この文字盤の外周を囲むようにリング状に設けられ、内側側面（２１ｅ）、外側側面（２１ｆ）及び前記内側側面と前記外側側面との間に位置して前記文字盤の目視側に露出する表面（２１ｂ）を備えている導光性部材（２１）と、この導光性部材の前記内側側面側及び前記外側側面側に設けられた第１の着色層（２２）とを有するリング部材（２０）と、
前記リング部材の裏面（２１ａ）側に配設された光源（６０）と、
前記リング部材と前記光源との間に設けられて前記光源の点灯時にはその光を導入して前記リング部材に前記第１の着色層と異なる色の着色光を出射する第２の着色層（４０）とを備え、
前記リング部材は、前記光源の点灯に伴い出射する前記第２の着色層からの着色光を前記導光性部材の前記表面から出射するよう該表面を光出射部として構成しており、
前記第１の着色層は、前記光源の消灯時に前記光出射部を通して前記文字盤の目視側から視認可能となっている計器。
【請求項２】
前記文字盤は導光性を有し、
前記第２の着色層は、前記文字盤と前記光源との間にも延在されて、前記光源の点灯時に伴い出射する前記着色光を前記文字盤にも出射することを特徴とする請求項１に記載の計器。
【請求項３】
文字盤（１０Ａ）と、
この文字盤の外周を囲むようにリング状に設けられ、内側側面（２１ｅ）、外側側面（２１ｆ）及び前記内側側面と前記外側側面との間に位置して前記文字盤の目視側に露出する表面（２１ｂ）を備えている導光性部材（２１）と、この導光性部材の前記内側側面側及び前記外側側面側に設けられた第１の着色層（２２）とを有するリング部材（２０）と、
前記リング部材の裏面（２１ａ）側に配設された光源（６０）とを備え、
前記文字盤は、前記リング部材と前記光源との間に設けられて前記光源の点灯時にはその光を導入し前記リング部材に前記第１の着色層と異なる色の着色光を出射する第２の着色層（１０Ｙ）を備えており、
前記リング部材は、前記光源の点灯に伴い出射する前記第２の着色層からの着色光を前記導光性部材の前記表面から出射するよう該表面を光出射部として構成しており、
前記第１の着色層は、前記光源の消灯時に前記光出射部を通して前記文字盤の目視側から視認可能となっている計器。
【請求項４】
文字盤（１０）と、
この文字盤の外周を囲むようにリング状に設けられた導光性部材（２１Ａ）と、この導光性部材の表面側に設けられた第１の着色層（２２Ａ）とを有するリング部材（２０Ａ）と、
前記リング部材の裏面（２１ａ）側に配設された光源（６０）と、
前記リング部材と前記光源との間に設けられて前記光源の点灯時にはその光を導入して前記リング部材に前記第１の着色層と異なる色の着色光を出射する第２の着色層（４０）とを備え、
前記リング部材は、前記光源の点灯に伴い出射する前記第２の着色層からの着色光を前記導光性部材の表面側のうち前記第１の着色層の外周側に出射する光出射部（２４ａ）を有しており、
前記第２の着色層は、前記光源の消灯時に前記光出射部を通して前記導光性部材内に入射する光を前記光出射部から出射するように前記着色光として反射する計器。
【請求項５】
前記第１の着色層は、遮光性を有していることを特徴とする請求項１乃至４のいずれか１つに記載の計器。
【請求項６】
導光性を有する文字盤（１０Ｂ）と、
当該文字盤の裏面（１２ｂ）側に配設された光源（６０）と、
前記文字盤を囲うようにリング状に形成された開口部（２０ｈ）を有し、前記文字盤の外周を囲うように設けられたリング部材（２０Ｂ）と、
前記文字盤と前記光源との間に設けられて前記光源の点灯時にはその光を導入して前記リング部材と異なる色の着色光を前記文字盤に出射する着色層（４０）とを備え、
前記文字盤は、前記光源の点灯に伴い出射する前記着色層からの着色光を前記開口部を通して出射する光出射部（１０ｍ）を有しており、
前記着色層は、前記光源の消灯時に前記光出射部を通り前記文字盤に入射する光を前記光出射部から出射するように前記着色光として反射する計器。
【請求項７】
前記光出射部は、断面半円状に盛り上がるように形成されていることを特徴とする請求項４又は６に記載の計器。
【請求項８】
前記リング部材（２０Ｂ）は、遮光性を有していることを特徴とする請求項６に記載の計器。
【請求項９】
請求項４に記載のリング部材（２０Ａ）に代えて、前記文字盤の外周を囲むようにリング状に設けられ底壁に断面Ｖ字状溝部（２６ｃ）を有する導光性部材（２６）と、前記導光性部材の底壁及び溝部内表面に沿い形成された半透光層（２７）である第１の着色層（２２Ａ）とを有するリング部材（２０Ｃ）を採用した構成となっていることを特徴とする計器。
【請求項１０】
請求項４に記載のリング部材（２０Ａ）に代えて、前記文字盤の外周を囲むようにリング状に設けられ底壁に断面Ｖ字状溝部（２６ｃ）を有する導光性部材（２６）と、前記導光性部材の表面に沿い形成された半透光層（２９）である第１の着色層（２２Ａ）とを有するリング部材（２０Ｃ）を採用した構成となっていることを特徴とする計器。
【発明の詳細な説明】
【０００１】
【発明の属する技術分野】
本発明は、例えば、車両に採用するに適した計器に関する。
【０００２】
【従来の技術】
従来、例えば、自動車用指針計器では、略円形の文字盤と、この文字盤の外周を囲むように設けられて外壁がシルバー（銀色）塗装されたリング部材とを備えたものがある。
【０００３】
【発明が解決しようとする課題】
しかし、上記指針計器では、リング部材は、その外壁がシルバー塗装されているにすぎず、かわり映えのしない画一的な見栄えとなっている。
【０００４】
そこで、本発明は、このようなことに対処するため、リング部材でもって斬新な見栄えを提供し得る計器を提供することを目的とする。
【０００５】
【課題を解決するための手段】
上記課題の解決にあたり、請求項１に記載の発明に係る計器は、文字盤（１０）と、この文字盤の外周を囲むようにリング状に設けられ、内側側面（２１ｅ）、外側側面（２１ｆ）及び内側側面と外側側面との間に位置して文字盤の目視側に露出する表面（２１ｂ）を備えている導光性部材（２１）と、この導光性部材の内側側面側及び外側側面側に設けられた第１の着色層（２２）とを有するリング部材（２０）と、リング部材の裏面（２１ａ）側に配設された光源（６０）と、リング部材と光源との間に設けられて光源の点灯時にはその光を導入して前リング部材に第１の着色層と異なる色の着色光を出射する第２の着色層（４０）とを備える。
【０００６】
そして、リング部材は、光源の点灯に伴い出射する第２の着色層からの着色光を導光性部材の表面から出射するよう該表面を光出射部として構成しており、第１の着色層は、前記光源の消灯時に光出射部を通して文字盤の目視側から視認可能となっている。
【０００７】
これにより、光源の点灯時には、リング部材における導光性部材の光出射部が第２の着色層を透過した着色光によって視認され、光源の消灯時には、光出射部を通して第１の着色層の色調が視認される。従って、このようなリング部材のもと計器において斬新な見栄えを提供できる。
【０００８】
また、請求項２に記載の発明によれば、請求項１に記載の発明において、文字盤は導光性を有し、第２の着色層は、文字盤と光源との間にも延在されて、光源の点灯時に伴い出射する着色光を文字盤にも出射する、
これにより、文字盤は、第２の着色層から出射された着色光を受けその表面から出射するので、文字盤が斬新な見栄えとなる。その結果、このような作用効果と相まって請求項１に記載の発明の作用効果をより一層向上できる。
【０００９】
さらに、請求項３に記載の発明に係る計器は、文字盤（１０Ａ）と、この文字盤の外周を囲むようにリング状に設けられ、内側側面（２１ｅ）、外側側面（２１ｆ）及び内側側面と外側側面との間に位置して文字盤の目視側に露出する表面（２１ｂ）を備えている導光性部材（２１）と、この導光性部材の内側側面側及び外側側面側に設けられた第１の着色層（２２）とを有するリング部材（２０）と、リング部材の裏面（２１ａ）側に配設された光源（６０）とを備える。
【００１０】
そして、文字盤は、リング部材と光源との間に設けられて光源の点灯時にはその光を導入しリング部材に第１の着色層と異なる色の着色光を出射する第２の着色層（１０Ｙ）を備えており、リング部材は、光源の点灯に伴い出射する第２の着色層からの着色光を導光性部材の表面から出射するよう該表面を光出射部として構成しており、第１の着色層は、前記光源の消灯時に光出射部を通して文字盤の目視側から視認可能となっている。
【００１１】
これにより、光源の点灯時には、リング部材における導光性部材の光出射部が第２の着色層を透過した着色光によって視認され、光源の消灯時には、光出射部を通して第１の着色層の色調が視認されるので、請求項１に記載の発明と実質的に同様の作用効果を達成できる。
【００１２】
また、請求項４に記載の発明に係る計器は、文字盤（１０）と、この文字盤の外周を囲むようにリング状に設けられた導光性部材（２１Ａ）と、この導光性部材の表面側に設けられた第１の着色層（２２Ａ）とを有するリング部材（２０Ａ）と、リング部材の裏面（２１ａ）側に配設された光源（６０）と、リング部材と前記光源との間に設けられて光源の点灯時にはその光を導入してリング部材に第１の着色層と異なる色の着色光を出射する第２の着色層（４０）とを備える。
【００１３】
そして、リング部材は、光源の点灯に伴い出射する第２の着色層からの着色光を導光性部材の表面側のうち第１の着色層の外周側に出射する光出射部（２４ａ）を有しており、
第２の着色層は、光源の消灯時に光出射部を通して導光性部材内に入射する光を当該光出射部から出射するように着色光として反射する。
【００１４】
これにより、光源の点消灯にかかわらず、第１の着色層の色調と、その外周側に設けられた光出射部から出射された第２の着色層による着色光とが視認されるので、当該リング部材のもと計器において斬新な見栄えを提供し得る。
【００１５】
さらに、請求項５に記載の発明のように、請求項１〜４のいずれか１つに記載の発明において、第１の着色層は、遮光性を有するようにしてもよい。
【００１６】
また、請求項６に記載の発明に係る計器は、導光性を有する文字盤（１０Ｂ）と、当該文字盤の裏面（１２ｂ）側に配設された光源（６０）と、文字盤を囲うようにリング状に形成された開口部（２０ｈ）を有し、文字盤の外周を囲うように設けられたリング部材（２０Ｂ）と、文字盤と前記光源との間に設けられて光源の点灯時にはその光を導入してリング部材と異なる色の着色光を文字盤に出射する着色層（４０）とを備える。
【００１７】
そして、文字盤は、光源の点灯に伴い出射する着色層からの着色光を開口部を通して出射する光出射部（１０ｍ）を有しており、
着色層は、光源の消灯時に光出射部を通り文字盤に入射する光を当該光出射部から出射するように前記着色光として反射する。
【００１８】
これにより、光源の点消灯にかかわらず、リング部材と、そのリング部材の開口部を通して光出射部から出射された着色層による着色光とが視認されるので、計器が当該リング部材のもと斬新な見栄えを発揮し得る。
【００１９】
また、請求項７に記載の発明のように、請求項４又は６に記載の発明において、光出射部は断面半円状に盛り上がるように形成されていてもよい。
【００２０】
また、請求項８に記載の発明のように、請求項６に記載の発明において、リング部材（２０Ｂ）は遮光性を有するしていてもよい。
【００２１】
また、請求項９に記載の発明に係る計器は、請求項４に記載のリング部材（２０Ａ）に代えて、文字盤の外周を囲むようにリング状に設けられ底壁に断面Ｖ字状溝部（２６ｃ）を有する導光性部材（２６）と、導光性部材の底壁及び溝部内表面に沿い形成された半透光層（２７）である第１の着色層（２２Ａ）とを有するリング部材（２０Ｃ）を採用した構成となっている。
【００２２】
これにより、リング部材が夜間にはＶ字状頂部に対応する部分にてリング状に鋭くその色調にて光り、昼間には半透光層の色調でもってＶ字状頂部に対応する薄肉部分にてリング状に鋭く光るので、リング部材は計器において斬新な見映えを提供し得る。
【００２３】
また、請求項１０に記載の発明に係る計器は、請求項４に記載のリング部材（２０Ａ）に代えて、文字盤の外周を囲むようにリング状に設けられ底壁に断面Ｖ字状溝部（２６ｃ）を有する導光性部材（２６）と、導光性部材の表面に沿い形成された半透光層（２９）である第１の着色層（２２Ａ）とを有するリング部材（２０Ｃ）を採用した構成となっている。これによっても、請求項９に記載の発明と実質的に同様の作用効果を達成できる。
【００２４】
なお、上記各手段の括弧内の符号は、後述する実施形態に記載の具体的手段との対応関係を示す一例である。
【００２５】
【発明の実施の形態】
以下、本発明を図に示す各実施形態について説明する。
（第１実施形態）
図１及び図２は、本発明に係る自動車用車速計の第１実施形態を示す。図１は車速計の概略正面図であり、図２は車速計の部分拡大断面図である。
【００２６】
車速計は、図１に示すように、文字盤１０、リング部材２０及び導光性指針３０を備えている。文字盤１０は、略円板状の透明樹脂部材の裏面側に円弧状目盛り表示部１０ｄ（図１参照）を印刷形成して構成されている。車速計には、図２に示すように、オレンジ色の着色層４０、導光板５０及び照明用ランプ６０が設けられている。なお、図２において符号３１は回動内機（図示しない）の指針軸を示し、符号Ｍは見返し板を示す。また、以下、オレンジ色の着色層４０をオレンジ色層４０という。
【００２７】
文字盤１０は、オレンジ色層４０を介して導光板５０の表面５１側（図２における上側）に配設されており、この文字盤１０は、その表面１０ａの外周部にて、裏面１０ｂ側に近づくように形成された傾斜状の外周面１０ｃを有している。
【００２８】
リング部材２０は、導光部材２１及びシルバー（銀色）塗装層２２を有している。導光部材２１は、文字盤１０の外周面１０ｃを囲むようにリング状に設けられており、この導光部材２１は、オレンジ色層４０を介して導光板５０の表面５１側（図２における上側）に位置する。また、導光部材２１は、その裏面２１ａ側から文字盤１０の中心部側に向くとともに表面２１ｂ側に向け断面略傾斜状に突出している。
【００２９】
シルバー塗装層２２は、導光部材２１の内側側面２１ｅ（内周面２１ｅ）側及びその外側側面２１ｆ（外周面２１ｆ）側に形成されている。これにより、導光部材２１は、その断面Ｖ字状の表面２１ｂにて、図２にて図示上方へ露呈している。なお、導光部材２１の表面２１ｂは、裏面２１ａに略平行な平行面２１ｄと、この平行面２１ｄよりも内側側面２１ｅ側に形成された平面２１ｃとにより構成されている。
【００３０】
照明用ランプ６０は、その発光部にて、導光板５０に向くように配置されて、導光板５０に投光する。なお、照明用ランプ６０はケース７０に装着されている。
【００３１】
次に、以上のように構成した本第１実施形態において、先ず、夜間に、照明用ランプ６０が点灯すると、この照明用ランプ６０からの光が導光板５０に入射される。そして、この入射光は、導光板５０を透過しオレンジ色層４０に入射され、この入射光は、オレンジ色光としてオレンジ色層４０から出射する。
【００３２】
ここで、オレンジ色層４０を透過したオレンジ色光の一部は、図２にて図示矢印Ａ及び矢印Ｂのごとく、文字盤１０に入射され、その表面１０ａから面状光として出射する。このことは、文字盤１０がオレンジ色光によって照明されることを意味する。
【００３３】
ついで、文字盤１０の表面１０ａから出射した面状光の一部は、導光性指針３０を透過する。このことは、導光性指針３０がオレンジ光によって照明されることを意味する。
【００３４】
また、オレンジ色層４０を透過したオレンジ色光の残りは、図２にて図示矢印Ｃのごとく、リング部材２０の導光部材２１にその裏面２１ａから入射する。このように入射したオレンジ色光は、導光部材２１内で、シルバー塗装層２２によって順次反射された後、その表面２１ｂから出射する。これにより、当該自動車の運転者は、リング部材２０の導光部材２１の表面２１ｂをオレンジ色光によって視認する。
【００３５】
また、昼間において、照明用ランプ６０が消灯していると、当該自動車の運転者は、リング部材２０の導光部材２１の表面２１ｂを通してシルバー塗装層２２を視認する。このことは、グ部材２０が表面２１ｂにてシルバー塗装層２２の銀色にて視認されることを意味する。
【００３６】
以上説明したように、照明用ランプ６０の点灯時には、リング部材２０が、その導光部材２１の表面２１ｂにて、オレンジ色光でもって視認され、一方、照明用ランプ６０の消灯時には、導光部材２１の表面２１ｂを通してシルバー塗装層２２の銀色にて視認されるので、リング部材２０は車速計において斬新な見栄えを提供し得る。
【００３７】
なお、上記第１実施形態では、文字盤１０及びリング部材２０の双方にオレンジ色光を入射するために一枚のオレンジ色層４０を採用した例につき説明したが、これに限らず、文字盤１０及びリング部材２０のそれぞれに互いに異なる色の光を入射するために２枚の着色層を採用するようにしてもよい。
【００３８】
また、上記第１実施形態では、文字盤１０、オレンジ色層４０及び導光板５０として各々別体のものを採用した例につき説明したが、これに限らず、図２に示す文字盤１０、オレンジ色層４０及び導光板５０に代えて、図３に示す文字盤１０Ａを採用するように上記第１実施形態を変形してもよい。
【００３９】
具体的には、文字盤１０Ａとは、リング部材２０により囲まれた円板状部材１０Ｘと、この円板状部材１０Ｘ及びリング部材２０の双方の裏面側に設けられた裏面側部材１０Ｙとがオレンジ色を有する導光材料により一体に形成されているものである。
【００４０】
なお、上記第１実施形態では、塗装層２２としては、銀色のものを採用した例につき説明したしたが、これに限らず、オレンジ色層４０の色と異なる色であるならば、各種の色を採用してもよい。
【００４１】
さらに、本発明の実施にあたり、オレンジ色層４０に代えて、オレンジ色以外の色を有する着色層を採用してもよい。
（第２実施形態）
図４及び図５は本発明の第２実施形態を示している。上記第１実施形態では、リング部材２０（図１参照）は、照明用ランプ６０の点灯時に導光部材２１の表面２１ｂがオレンジ色光によって視認され、一方、照明用ランプ６０の消灯時には導光部材２１の表面２１ｂを通しシルバー塗装層２２の銀色にて視認されるようになっているが、照明用ランプ６０の点消灯にかかわらず、リング部材の一部からオレンジ色光が出射するようにしてもよい。かかる観点から本第２実施形態が提案されている。
【００４２】
本第２実施形態では、リング部材２０Ａが、図５に示すように、上記第１実施形態にて述べたリング部材２０（図２参照）に代えて採用されており、このリング部材２０Ａは、導光部材２１Ａ及びシルバー塗装層２２Ａを備えている。導光部材２１Ａは、傾斜状突出部２３、突出部２４及び外周部２５でもって一体に成形されている。傾斜状突出部２３は、文字盤１０の外周面１０ｃを囲うように設けられており、この傾斜状突出部２３は、リング部材２０Ａの裏面２１ａ側から表面２１ｂ側に向けかつ文字盤１０の中心部側に向け傾斜状に突出形成されている。
【００４３】
突出部２４は、傾斜状突出部２３の外周を囲うようにリング状に設けられており、この突出部２４は、リング部材２０Ａの裏面２１ａ側から表面２４ａ側に向け断面傾斜状に突出形成されている。ここで、当該突出部２４は、断面半円状に形成された表面２４ａを有している。また、外周部２５は、突出部２４の外周を囲うようにリング状に設けられている。
【００４４】
シルバー塗装層２２Ａは、傾斜状突出部２３の表面２１ｂ側、その外側側面２１ｆ（外周面２１ｆ）側、その内側側面２１ｅ（内周面２１ｅ）側及び外周部２５の外周部２５ａ側、その表面２５ｂ側に形成されている。なお、シルバー塗装層２２Ａは、リング部材２０Ａの突出部２４の表面２４ａをマスキングした後、傾斜状突出部２３の表面２１ｂ、その外側側面２１ｆ、その内側側面２１ｅ及び外周部２５の外周部２５ａ、その表面２５ｂにシルバー塗料を塗布することで形成されている。
【００４５】
このように構成した本第２実施形態において、夜間に、照明用ランプ６０が点灯すると、照明用ランプ６０の光は、オレンジ色層４０に入射されてオレンジ色光として当該オレンジ色層４０から出射する。
【００４６】
ここで、当該オレンジ色光がリング部材２０の導光部材２１Ａにその裏面２１ａから入射し、この入射されたオレンジ色光は、導光部材２１Ａ内で、シルバー塗装層２２Ａによって順次反射された後、突出部２４の表面２４ａから出射する。これにより、当該自動車の運転者は、リング部材２０Ａにおける導光部材２１Ａの突出部２４の表面２４ａをオレンジ色光によって視認する。
【００４７】
また、昼間において、照明用ランプ６０が消灯していると、当該自動車内の光がリング部材２０Ａにおける導光部材２１Ａの突出部２４にその表面２４ａから入射し、この入射された光は、導光部材２１Ａの裏面２１ａから出射する。
【００４８】
ここで、当該裏面２１ａから出射する光の一部は、オレンジ色層４０によりオレンジ色光として反射され、この反射オレンジ色光は、導光部材２１Ａに入射し、その突出部２４の表面２４ａから出射する。これにより、当該自動車の運転者は、リング部材２０Ａにおける導光部材２１Ａの突出部２４の表面２４ａをオレンジ色光によって視認する。
【００４９】
以上説明したように、照明用ランプ６０の点灯及び消灯にかかわらず、リング部材２０Ａにおける傾斜状突出部２３の表面２１ｂ側に設けられたシルバー塗装層２２Ａと、突出部２４の表面２４ａから出射されるオレンジ色光とが視認される。従って、このようなリング部材２０Ａは車速計において斬新な見栄えを提供し得る。
（第３実施形態）
図６は本発明の第３実施形態を示している。この第３実施形態では、文字盤１０Ｂ及び遮光性リング部材２０Ｂが、図６にて示すように、上記第２実施形態にて述べた文字盤１０及びリング部材２０Ａ（図５参照）に代えて採用されている。そして、照明用ランプ６０の点消灯にかかわらず、文字盤１０Ｂの一部から遮光性リング部材２０Ｂを通してオレンジ色層４０のオレンジ色光を出射させるようにしてある。
【００５０】
このため、本第３実施形態では、文字盤１０Ｂは、図６に示すように、その表面１０ａの端部１０ｅから表面側（図６にて図示上側）に延出するリング状延出面１０ｆと、この延出面１０ｆから裏面１０ｂ側に近づくように傾斜状に形成されたリング状外周面１０ｇとを有している。
【００５１】
遮光性リング部材２０Ｂは、文字盤１０Ｂの外周面１０ｇを覆うようにリング状に設けられいる。文字盤１０Ｂには、その外周面１０ｇから、遮光性リング部材２０Ｂにリング状に配列形成した各円弧状開口部２０ｈを通して突出する各突出部１０ｋが設けられており、これら各突出部１０ｋは、断面半円状に形成された表面１０ｍを有している。なお、開口部２０ｈは、リング部材２０Ｂのうち当該開口部２０ｈの図６にて図示左側部分が適宜な静止部材により支持されれば、単一でもよい。
【００５２】
このように構成した本第３実施形態において、夜間に、照明用ランプ６０が点灯すると、照明用ランプ６０の光は、オレンジ色層４０に入射されてオレンジ色光として当該オレンジ色層４０から出射する。そして、当該オレンジ色光が文字盤１０Ｂに入射され、このように入射された光の一部が各突出部１０ｋの表面１０ｍから出射する。これにより、当該自動車の運転者は、各突出部１０ｋの表面１０ｍをオレンジ色光によって視認する。
【００５３】
また、昼間において、照明用ランプ６０が消灯していると、当該自動車内の光が文字盤１０Ｂの各突出部１０ｋの表面１０ｍから入射し、このように入射された光は、文字盤１０Ｂの裏面１０ｂから出射する。すると、この出射光は、オレンジ色層４０によりオレンジ色光として反射され、この反射オレンジ色光の一部が各突出部１０ｋの表面１０ｍから出射する。これにより、当該自動車の運転者は、各突出部１０ｋの表面１０ｍをオレンジ色光によって視認する。
【００５４】
以上説明したように、本第３実施形態では、照明用ランプ６０の点消灯にかかわらず、遮光性リング部材２０Ｂと、その遮光性リング部材２０Ｂの各開口部２０ｈ内から出射されるオレンジ色光とが視認されるので、リング部材２０Ｂは、車速計において斬新な見栄えを提供し得る。
【００５５】
なお、上記第３実施形態では、リング部材２０Ｂとして遮光性を有するものを採用した例につき説明したが、これに限らず、オレンジ色層４０と異なる色であるならば、リング部材２０Ｂが各種の色を有するようにしてもよい。
（第４実施形態）
次に、本発明の第４実施形態について図７及び図８を参照して説明する。この第４実施形態では、上記第２実施形態において、リング部材２０Ａ（図５参照）に代えて、リング部材２０Ｃを採用した構成となっている。当該リング部材２０Ｃは、半透明のリング状導光部材２６と、リング状金属調半透光層２７とを備えている。
【００５６】
導光部材２６は、文字盤１０と見返し板Ｍとの間にて文字盤１０をその外周部側から囲うように、その底壁２６ａにて、オレンジ層４０上に半透光層２７を介して設けられており、この導光部材２６に形成した上に凸な断面彎曲状表面２６ｂは、目盛り盤１０と見返し板Ｍとの間の環状領域から上方を臨むように位置している。なお、半透光層２７はメッキ等の蒸着、ホットスタンプや塗装等の処理により形成されている。
【００５７】
また、導光部材２６にはその底壁２６ａに沿い、断面Ｖ字状溝部２６ｃがリング状に形成されている。半透光層２７は、導光部材２６の底壁２６ａ及びＶ字状溝部２６ｃの内表面に沿い半透光材料により形成されている。ここで、導光部材２６のうち半透過層２７のＶ字状頂部２７ａに対応する部分（以下、薄肉部２６ｄという）の肉厚は他の部分に比べて薄肉となっている。その他の構成は上記第２実施形態と実質的に同様である。
【００５８】
このように構成した本第４実施形態においては、夜間に、照明用ランプ６０が点灯すると、このランプ６０の光は、オレンジ層４０に入射し、このオレンジ層４０からオレンジ色光として出射する。すると、このオレンジ光は、半透光層２７を通り導光部材２６をその底壁２６ａから透過する。このとき、導光部材２６のうち薄肉部２６ｄは他の部分よりも薄肉になっているため、当該薄肉部２６ｄ、即ち、半透光層２７のＶ字状頂部２７ａは、上記オレンジ光に基づき半透光層２７の金属調と相まって、リング状に鋭くオレンジ色にて光る。
【００５９】
また、昼間において、照明用ランプ６０が消灯していると、外光が導光部材２６内にその表面２６ｂから入射し、この入射光の半分は半透光層２７を透過する。また、残りの半分の入射光は半透光層２７により反射されて導光部材２６の表面２６ｂから出射する。このため、薄肉部２６ｄ、即ち、半透光層２７のＶ字状頂部２７ａは半透光層２７の金属調にてリング状に鋭く光る。
【００６０】
以上のように、本第４実施形態では、リング部材２０Ｃが、上述のごとく、夜間にはリング状に鋭くオレンジ色にて光り、昼間には半透光層２７の金属調にてリング状に鋭く光るので、リング部材２０Ｃは車速計において斬新な見映えを提供し得る。
【００６１】
図９は上記第４実施形態の第１変形例を示している。この第１変形例では、半透光層２９が、上記第４実施形態にて述べた半透光層２７に代えて、導光部材２６の表面２６ｂに形成されている。その他の構成は上記第４実施形態と同様である。
【００６２】
このように構成した本変形例において、夜間において、照明用ランプ６０が点灯すると、このランプ６０の光は、オレンジ層４０に入射し、このオレンジ層４０からオレンジ色光として出射する。すると、このオレンジ光は、導光部材２６をその底壁２６ａから透過して半透光層２９を透過する。このとき、導光部材２６のうち薄肉部２６ｄは他の部分よりも薄肉になっているため、当該薄肉部２６ｄ、即ち、半透光層２９の幅方向中央部は、上記オレンジ光に基づき半透光層２７の金属調と相まって、リング状に鋭くオレンジ色にて光る。
【００６３】
また、昼間において、照明用ランプ６０が消灯していると、外光が半透光層２９を通り導光部材２６内にその表面２６ｂから入射する。このとき、導光部材２６のうち薄肉部２６ｄは他の部分よりも薄肉になっているため、当該薄肉部２６ｄ、即ち、半透光層２９の幅方向中央部は、半透光層２９の金属調にてリング状に鋭く光る。
【００６４】
以上のように、本第１変形例では、リング部材２０Ｃが、上述のごとく、夜間にはリング状に鋭くオレンジ色にて光り、昼間には半透光層２９の金属調にてリング状に鋭く光るので、上記第４実施形態と同様にリング部材２０Ｃは車速計において斬新な見映えを提供し得る。
【００６５】
図１０は上記第４実施形態の第２変形例を示している。この第２変形例では、上記第４実施形態において、金属調半透光層２７の裏面のうち導光部材２６のＶ字状溝部２６ｃに対応する部分を除く部分に沿い不透光層２８を形成した構成となっている。なお、不透光層２８は印刷やホットスタンプの処理でもって形成されている。また、本第２変形例では、導光部材２６は、上記第４実施形態とは異なり、透明となっている。その他の構成は上記第４実施形態と同様である。
【００６６】
このように構成した本第２変形例では、不透光層２８はその裏面側からの光であるオレンジ層４０からのオレンジ色光を透過しない。このため、当該オレンジ色光は、透明な導光部材２６の薄肉部２６ｄのみを透過する。これにより、リング部材２０Ｃをリング状に鋭くオレンジ色にて光らせることができる。その結果、上記第４実施形態と同様の作用効果を達成し得る。
【００６７】
なお、本発明の実施にあたっては、自動車用車速計に限らず、回転計等の各種の計器に本発明を適用しても、上記各実施形態と同様の作用効果を達成でこる。また、自動車用計器に限らず、バス、トラック、自動二輪車等の各種の車両用計器或いは一般産業機器用計器に本発明を適用してもよい。
【００６８】
また、本発明の実施にあたり、上記第１及び第２の各実施形態にて述べたリング部材として、上記第４実施形態或いはその変形例にて述べたリング部材を採用してもよい。
【００６９】
また、本発明の実施にあたり、上記各実施形態や変形例にて述べた夜間とは、所謂夜間だけでなく、トンネル内等の暗い走行環境をも含め、一般に暗い環境をいう。また、上記各実施形態や変形例にて述べた昼間とは、所謂昼間に限らず、一般に明るい環境をいう。
【図面の簡単な説明】
【図１】本発明に係る自動車用車速計の第１実施形態を示す概略正面図である。
【図２】図１の車速計の部分拡大断面図である。
【図３】上記第１実施形態の変形例を示す部分拡大断面図である。
【図４】本発明に係る自動車用車速計の第２実施形態の概略正面図である。
【図５】図５の車速計の部分拡大断面図である。
【図６】本発明の第３実施形態を示す要部拡大断面図である。
【図７】本発明の第４実施形態の要部を示す斜視図である。
【図８】図７にて８−８線に沿う断面図である。
【図９】上記第４実施形態の第１変形例を示す断面図である。
【図１０】上記第４実施形態の第２変形例を示す断面図である。
【符号の説明】
１０、１０Ａ、１０Ｂ…文字盤、１０ｍ…文字盤の突出部の表面、
１０ｙ…文字盤１０Ａの裏面側部材、１２ｃ…文字盤の裏面、
２０、２０Ａ、２０Ｂ、２０Ｃ…リング部材、
２１、２１Ａ、２６…導光部材、２１ａ…導光部材の裏面、
２１ｂ…導光部材の表面、２１ｅ…内側側面、２１ｆ…外側側面、
２２、２２Ａ…着色層、２４ａ…突出部２４の表面、２６ｃ…Ｖ字状溝部、
４０…オレンジ色層、６０…照明用ランプ。
【図１】
0004186362.tif 000002
【図２】
0004186362.tif 000003
【図３】
0004186362.tif 000004
【図４】
0004186362.tif 000005
【図５】
0004186362.tif 000006
【図６】
0004186362.tif 000007
【図７】
0004186362.tif 000008
【図８】
0004186362.tif 000009
【図９】
0004186362.tif 000010
【図１０】
0004186362.tif 000011